(57)【要約】【課題】タイムラプス撮影中において、分かり易く測光値とタイムラプス設定における残り撮影回数をユーザーに知らせることが可能な撮像装置を提供すること。【解決手段】ユーザーが任意に設定した撮影間隔で撮影された複数の画像データから一つの動画ファイルを作成するタイムラプス撮影可能な撮像装置であって、測光開始指示部材と、撮影開始指示部材と、第一の表示用セグメントと、第二の表示用セグメントと、表示用アイコンと、設定手段と、記憶手段と、制御手段、とを各々適切に有することを特徴とする。【選択図】図３
2016092796.tif 000002
【特許請求の範囲】
【請求項１】
ユーザーが任意に設定した撮影間隔で撮影された複数の画像データから一つの動画ファイルを作成するタイムラプス撮影可能な撮像装置であって、
測光開始を指示する為の測光開始指示部材（２０１）と、撮影開始を指示する為の撮影開始指示部材（２０１）と、
第一の測光値を表示する為の第一の表示用セグメント（２１２）と、第二の測光値を表示する為の第二の表示用セグメント（２１４）と、測光値に関連する情報を表示する為の表示用アイコンと、前記第一、第二の表示用セグメントと前記表示用アイコンを表示する表示手段（４３）と、
タイムラプス撮影の為の撮影回数と撮影間隔を設定する設定手段（２５）と、
前記撮影間隔で何回撮影指示が入ったかを記憶する記憶手段（３９）と、
タイムラプス中は、前記測光開始指示部材が押下されている場合は、現在の測光値を前記第一の表示用セグメントに表示すると共に、前記表示用アイコンを表示し、
押下されていない場合は、前記設定手段によって設定された撮影回数と前記記憶手段に記憶された撮影指示回数との差を、前記第一の表示用セグメントに表示すると共に、前記表示用アイコンを消灯するように前記表示手段を制御する制御手段（４０）と、
を有することを特徴とする撮像装置。
【請求項２】
前記表示用アイコンは、露出バーアイコン（２１６）、露出ドットアイコン（２１７）、ＩＳＯマークアイコン（２１５）であることを特徴とする請求項１に記載の撮像装置。
【請求項３】
前記測光開始指示部材（２０１）は、前記撮影開始指示部材を半押しした時に押下状態になる部材であることを特徴とする請求項１に記載の撮像装置。
【請求項４】
前記設定手段（２５）は、ＧＵＩ画面上で行うことを特徴とする請求項１に記載の撮像装置。
【請求項５】
ユーザーが任意に設定した撮影間隔で撮影された複数の画像データから一つの動画ファイルを作成するタイムラプス撮影可能な撮像装置であって、
測光開始を指示する為の測光開始指示部材（２０１）と、撮影開始を指示する為の撮影開始指示部材（２０１）と、
第一の測光値を表示する為の第一の表示用セグメント（２１２）と、第二の測光値を表示する為の第二の表示用セグメント（２１４）と、測光値に関連する情報を表示する為の表示用アイコンと、前記第一、第二の表示用セグメントと前記表示用アイコンを表示する表示手段（４３）と、
タイムラプス撮影の為の撮影回数と撮影間隔を設定する設定手段（２５）と、
前記撮影間隔で何回撮影指示が入ったかを記憶する記憶手段（３９）と、
タイムラプス中は、前記測光開始指示部材が押下されている場合は、現在の測光値を前記第一、第二の表示用セグメントに表示すると共に、前記表示用アイコンを表示し、押下されていない場合は、前記記憶手段に記憶された撮影指示回数を前記第一の表示セグメントに表示し、前記設定手段によって設定された撮影回数を、前記第二の表示用セグメントに表示すると共に、前記表示用アイコンを消灯するように前記表示手段を制御する制御手段（４０）と、を有することを特徴とする撮像装置。
【請求項６】
前記表示用アイコンは、露出バーアイコン（２１６）、露出ドットアイコン（２１７）、ＩＳＯマークアイコン（２１５）、であることを特徴とする請求項５に記載の撮像装置。
【請求項７】
前記測光開始指示部材（２０１）は、前記撮影開始指示部材を半押しした時に押下状態になる部材であることを特徴とする請求項５に記載の撮像装置。
【請求項８】
前記設定手段（２５）は、ＧＵＩ画面上で行うことを特徴とする請求項５に記載の撮像装置。
【請求項９】
測光開始を指示する為の測光開始指示部材と、撮影開始を指示する為の撮影開始指示部材とを具備し、ユーザーが任意に設定した撮影間隔で撮影された複数の画像データから一つの動画ファイルを作成するタイムラプス撮影可能な撮像装置の制御方法であって、
第一の測光値を表示する為の第一の表示用セグメントと、第二の測光値を表示する為の第二の表示用セグメントと、測光値に関連する情報を表示する為の表示用アイコンと、前記第一、第二の表示用セグメントと前記表示用アイコンを表示する表示工程（４３）と、
タイムラプス撮影の為の撮影回数と撮影間隔を設定する設定工程（２５）と、
前記撮影間隔で何回撮影指示が入ったかを記憶する記憶工程（３９）と、
タイムラプス中は、前記測光開始指示部材が押下されている場合は、現在の測光値を前記第一の表示用セグメントに表示すると共に、前記表示用アイコンを表示し、
押下されていない場合は、前記設定工程によって設定された撮影回数と前記記憶工程に記憶された撮影指示回数との差を、前記第一の表示用セグメントに表示すると共に、前記表示用アイコンを消灯するように前記表示工程を制御する制御工程（４０）と、を有することを特徴とする撮像装置の制御方法。
【請求項１０】
前記設定工程（２５）は、ＧＵＩ画面上で行うことを特徴とする請求項９に記載の撮像装置の制御方法。
【請求項１１】
測光開始を指示する為の測光開始指示部材と、撮影開始を指示する為の撮影開始指示部材とを具備し、ユーザーが任意に設定した撮影間隔で撮影された複数の画像データから一つの動画ファイルを作成するタイムラプス撮影可能な撮像装置の制御方法であって、
第一の測光値を表示する為の第一の表示用セグメントと、第二の測光値を表示する為の第二の表示用セグメントと、測光値に関連する情報を表示する為の表示用アイコンと、前記第一、第二の表示用セグメントと前記表示用アイコンを表示する表示工程（４３）と、
タイムラプス撮影の為の撮影回数と撮影間隔を設定する設定工程（２５）と、
前記撮影間隔で何回撮影指示が入ったかを記憶する記憶工程（３９）と、
タイムラプス中は、前記測光開始指示部材が押下されている場合は、現在の測光値を前記第一、第二の表示用セグメントに表示すると共に、前記表示用アイコンを表示し、押下されていない場合は、前記記憶工程に記憶された撮影指示回数を前記第一の表示セグメントに表示し、前記設定手段によって設定された撮影回数を、前記第二の表示用セグメントに表示すると共に、前記表示用アイコンを消灯するように前記表示工程を制御する制御工程（４０）と、を有することを特徴とする撮像装置の制御方法。
【請求項１２】
前記設定工程（２５）は、ＧＵＩ画面上で行うことを特徴とする請求項１１に記載の撮像装置の制御方法。
【請求項１３】
請求項９乃至請求項１２の何れか一項に記載の撮像装置の制御方法をコンピュータに実行させる為のコンピュータプログラム。
【発明の詳細な説明】
【技術分野】
【０００１】
本発明は、電子スチルカメラ等の撮像装置に関し、特に液晶表示を行う撮像装置の制御方法に関する。
【背景技術】
【０００２】
近年、静止画を組み合わせて動画を作成するタイムラプス動画機能を搭載したカメラが増えつつある。タイムラプス動画では、撮影回数と撮影間隔を設定し、撮影された画像をつなぎ合わせて動画を作ることで、実時間よりも短い動画を作成することができる。この時ユーザーは、撮影途中において、測光値や撮影可能枚数に加え、撮影回数を確認したくなる。なぜならば、タイムラプス動画においては、ユーザーが設定した撮影回数が終了して初めて、動画ファイルが一つ出来るからである。
【０００３】
当然のことだが、ユーザーが得たいものは写真ファイル又は、動画ファイルそのものとなる。故に、いつ写真ファイルが得られるのか、動画ファイルが得られるのかは、測光値やAF結果を知ることよりも知りたい情報となる。通常の写真撮影は、シャッターを切ったら撮影完了、動画記録は、動画停止ボタンを押したら記録完了と、ユーザーが常識的に判断できるので、いつ写真ファイル、動画ファイルが得られるのかは、情報として、特にユーザーに知らせる必要はなかった。
【０００４】
これに対して、タイムラプス撮影は、長時間（日の出から日の入りなど）の間、複数枚の撮影が自動で行われた後、初めて一つの動画ファイルが出来上がる。故に、タイムラプス撮影においては、残り撮影回数を知ることが撮影完了がいつかを、知ることと直結することになるので、残り撮影回数を優先的に表示しなければならない。また、タイムラプス撮影においては、上述の通り、長時間の撮影になるので、被写体輝度も変化する。故に、測光値の確認も必要となる。
【０００５】
しかし、撮像装置の表示領域には限りがあり、全てを表示することはできない。そこで、撮像装置が設定状態にいるだけは、残り撮影回数を表示するような、特許文献１のような手法が開示されている。
【先行技術文献】
【特許文献】
【０００６】
【特許文献１】特開平３−２３３５３５号公報
【発明の概要】
【発明が解決しようとする課題】
【０００７】
しかし、設定状態のみでは、設定回数を見たいだけであるにも関わらず、撮像装置を設定状態に入れなければならない点で、使いにくくしてしまう。また、タイムラプス撮影においては、設定した枚数分撮影が完了して初めて、一つの動画が出来るので、撮影中は、不用意に設定して中断されないように、そもそも設定状態に入れないのが一般的となっており、もし、設定状態に入れることを許可すると、誤操作を誘発してしまう可能性もある。
【０００８】
これらのことから、測光値とタイムラプス設定における残り撮影回数を分かり易くユーザーに知らしめることが、課題となっている。
【課題を解決するための手段】
【０００９】
上記問題点を解決するために、本発明は、ユーザーが任意に設定した撮影間隔で撮影された複数の画像データから一つの動画ファイルを作成するタイムラプス撮影可能な撮像装置であって、測光開始を指示する為の測光開始指示部材と、撮影開始を指示する為の撮影開始指示部材と、第一の測光値を表示する為の第一の表示用セグメントと、第二の測光値を表示する為の第二の表示用セグメントと、測光値に関連する情報を表示する為の表示用アイコンと、前記第一、第二の表示用セグメントと前記表示用アイコンを表示する表示手段と、タイムラプス撮影の為の撮影回数と撮影間隔を設定する設定手段と、前記撮影間隔で何回撮影指示が入ったかを記憶する記憶手段と、タイムラプス中は、前記測光開始指示部材が押下されている場合は、現在の測光値を前記第一の表示用セグメントに表示すると共に、前記表示用アイコンを表示し、押下されていない場合は、前記設定手段によって設定された撮影回数と前記記憶手段に記憶された撮影指示回数との差を、前記第一の表示用セグメントに表示すると共に、前記表示用アイコンを消灯するように前記表示手段を制御する制御手段と、を有することを特徴とする。
【発明の効果】
【００１０】
本発明の撮像装置によれば、タイムラプス状態において残り撮影回数と、測光値の両方を確認することが可能となる。
【図面の簡単な説明】
【００１１】
【図１】本発明の第１実施形態としての撮像装置の構成ブロック図である。
【図２（ａ）】本発明の第１、第2実施形態としての撮像装置の外観図である。
【図２（ｂ）】本発明の第１、第2実施形態としての撮像装置の外観図である。
【図２（ｃ）】本発明の第１、第2実施形態としてのファインダー外液晶表示部である。
【図３】測光値とタイムラプス情報表示を行う際の基本のフローチャートである。
【図４】タイムラプス撮影処理を行う際の基本のフローチャートである。
【図５】本発明の第１実施形態としてのタイムラプス情報表示を行うフローチャートである。
【図６】本発明の第２実施形態としてのタイムラプス情報表示を行うフローチャートである。
【図７】(ａ)は、タイムラプス撮影中に測光開始釦を押下した場合のファインダー外液晶表示部のイメージ図である。(ｂ)は、タイムラプス撮影中に測光開始釦を離した場合の本発明の第１実施形態としてのファインダー外液晶表示部のイメージ図である。(ｃ)は、タイムラプス撮影中に測光開始釦を離した場合の本発明の第２実施形態としてのファインダー外液晶表示部のイメージ図である。
【図８】(ａ)は、タイムラプス撮影を行うか否かを設定する為のＧＵＩ画面のイメージ図である。（ｂ）タイムラプス撮影における、撮影回数及び撮影間隔を設定する為のＧＵＩ画面のイメージ図である。
【発明を実施するための形態】
【００１２】
以下に、本発明の好ましい実施の形態を、添付の図面に基づいて詳細に説明する図１は本発明の一実施形態としての撮像装置２００の構成ブロック図である。
【００１３】
レンズユニット１００は、交換可能な撮影レンズを搭載するレンズユニットである。レンズ５は通常、複数枚のレンズから構成されるが、ここでは簡略して一枚のレンズのみで示している。通信端子６はレンズが撮像装置側と通信を行う為の通信端子であり、通信端子１０は撮像装置がレンズ側と通信を行う為の通信端子である。
【００１４】
レンズユニット１００は、この通信端子６，１０を介してマイクロコンピュータ４０と通信し、内部のレンズシステム制御回路４によって絞り駆動回路２を介して絞り１の制御を行い、ＡＦ駆動回路３を介して、レンズ５の位置を変位させることで焦点を合わせる。また、マイクロコンピュータ４０は、この通信端子６，１０を介して、レンズユニット１００の開放絞り値、及び最小絞り値を取得する。
【００１５】
ＡＥセンサー１５は、レンズユニット１００を通した被写体の輝度を測光する。ＡＦセンサー１１は、マイクロコンピュータ４０にデフォーカス量情報を出力する。マイクロコンピュータ４０はそれに基づいてレンズユニット１００を制御する。クイックリターンミラー１２は、露光の際にマイクロコンピュータ４０から指示されて、不図示のアクチュエータによりアップダウンされる。撮影者は、ペンタプリズム１４とファインダー１６を介して、フォーカシングスクリーン１３を観察することで、レンズユニット１００を通して得た被写体の光学像の焦点や構図の確認が可能となる。
【００１６】
フォーカルプレーンシャッター１７は、マイクロコンピュータ４０の制御で撮像素子２０の露光時間を自由に制御できるフォーカルプレーンシャッターである。光学フィルター１８は一般的にローパスフィルターなどから構成され、フォーカルプレーンシャッター１７より入ってくる光の高周波成分をカットして、撮像素子２０に被写体像を導光する。撮像素子２０は、一般的にＣＣＤやＣＭＯＳ等が用いられる撮像素子であり、レンズユニット１００を通して撮像素子２０上に結像された被写体象を光電変換して電気信号として取り込む。
【００１７】
ＡＭＰ回路２１は、取り込まれた電気信号に対して、設定されている撮影感度に応じたゲインで撮影信号を増幅する。Ａ／Ｄ変換回路２２は撮像素子２０によって電気信号に変換されたアナログ信号をデジタル信号に変換する。
【００１８】
画像処理回路２３は、Ａ／Ｄ変換回路２２によってデジタル信号に変換された画像データに対して、フィルター処理、色変換処理、ガンマー／ニー処理を行い、メモリコントローラ２７に出力する。また、画像処理回路２３はＤ／Ａ変換回路も内蔵している。画像処理回路２３はＡ／Ｄ変換回路２２によってデジタル信号に変換された画像データやメモリコントローラ２７により入力される画像データをアナログ信号に変換して液晶駆動回路２４を介して液晶表示部２５に出力することもできる。
【００１９】
これらの画像処理回路２３による画像処理及び表示処理は、マイクロコンピュータ４０により切り替えられる。また、マイクロコンピュータ４０は、撮影画像のカラーバランス情報をもとにホワイトバランス調整を行う。
【００２０】
液晶表示部２５は画像を表示するための背面モニタである。画像を表示するディスプレイであれば液晶方式に限らず、有機ＥＬなど他の方式のディスプレイであってもよい。
【００２１】
メモリコントローラ２７は、画像処理回路２３から入力された未処理の画像データをバッファメモリ２６に格納したり、或いは画像処理済みの画像データを記録媒体２８に格納したりする。また、逆にバッファメモリ２６や記録媒体２８から画像データを取り込んで画像処理回路２３に出力したりもする。また、メモリコントローラ２７は、外部インタフェース２９を介して送られてくる画像データを記録媒体２８に格納したり、逆に記録媒体２８に格納されている画像データを外部インタフェース２９を介して外部に出力することも可能である。
【００２２】
外部インターフェースとしては、ＵＳＢ、ＩＥＥＥ、ＨＤＭＩ（登録商標）などのインターフェースが例として挙げられる。記録媒体２８は、メモリカードなどの着脱可能な記録媒体である。ただし内蔵メモリであってもよい。タイミング制御回路３２を介してマイクロコンピュータ４０は、撮像素子２０の駆動タイミングを制御する。
【００２３】
電源制御回路３５は、ＡＣ電源部３０、もしくは２次電池部３１より供給され電源を制御する回路である。電源制御回路３５はマイクロコンピュータ４０から指示を受けて電源のオンオフを行う。また電源制御回路３５は電源状態検知回路３４により検知された現在の電源状態の情報や電源種類検知回路３３により検知された現在の電源の種類の情報をマイクロコンピュータ４０に通知することも行う。マイクロコンピュータ４０はシャッター制御回路３６を介してフォーカルプレーンシャッター１７を制御する。
【００２４】
光学フィルター振動制御回路３７は、光学フィルター１８に接続されている圧電素子１９を振動させる回路である。振動の振幅、振動時間、振動の軸方向をそれぞれ所定の値で圧電素子を振動させるように、マイクロコンピュータ４０の指示に従い振動させる。不揮発性メモリ３８は不揮発性の記録媒体であり、ユーザーが任意に設定したシャッター速度、絞り値、撮影感度などの設定値やその他の各種データを撮像装置に電源が入れられていない状態でも、保存することができる。揮発性メモリ３９は、撮像装置の内部状態や着脱可能な記録媒体２８の情報など、一時的に記憶しておきたいデータを保存しておく。
【００２５】
４１は、ファインダー内液晶表示部で、ファインダー内液晶駆動回路４２を介して、現在オートフォーカスが行われている測距点を示す枠や、クロップマスク表示、クロップ枠、方眼線などが表示される。４３は、ファインダー外液晶表示部で、ファインダー外液晶駆動回路４４を介して、シャッター速度や絞りをはじめとするカメラの様々な設定値が表示される。
【００２６】
操作部７０は、ユーザーからの操作を受け付ける入力部としての各種操作部材である。操作部７０には、少なくとも以下の操作部が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、マルチコントローラ２１１等がある。
【００２７】
マイクロコンピュータ４０は、撮像装置２００に含まれる各部を制御する制御部である。マイクロコンピュータ４０は、不揮発性メモリ３８に記録されたプログラムを、揮発性メモリ３９をワークメモリとして展開し、実行することで後述の各種処理を実行する。
図２（ａ）は、撮像装置全体２００の正面からの外観形状を示した図であり、図２（ｂ）は、撮像装置全体２００の背面からの外観形状を示した図であり、図２（ｃ）は、ファインダー外液晶表示部に表示されたアイコン群を示した図である。図１と共通する部分は、同じ記号で示している。
【００２８】
レリーズ釦２０１は、撮影の準備指示及び撮影指示を行うための釦であり、釦を半押しすることで、被写体の輝度の測定や合焦を行う。また、釦を全押しすることでシャッターが切られ画像の撮影が行われる。またこの時、ユーザーによる設定で、タイムラプス撮影を行う設定になっていた場合、釦の全押しは、画像の撮影と同時に、タイムラプス開始釦として機能する。メイン電子ダイヤル２０２は回転操作部材であり、ユーザーは、このメイン電子ダイヤル２０２を回すことでシャッター速度や絞りなどの設定値の設定を行ったり、拡大モードでの拡大倍率の微調整を行う。
【００２９】
サブ電子ダイヤル２０３は回転操作部材であり、ユーザーは、このサブ電子ダイヤル２０３を回すことで絞りや露出補正などの設定値の設定を行ったり、画像表示状態での画像の１枚送り操作などを行う。電源スイッチ２０４は電源のＯＮ及びＯＦＦを行うための操作部材である。プロテクト釦２０５は、撮像装置内外の記録媒体に保存されている画像に対して、プロテクトやレーティングといった処理を施す為の釦である。メニュー釦２０６は、各種設定画面を液晶表示部２５に表示させる為の釦である。
【００３０】
削除釦２０７は、撮像装置内外の記録媒体に保存されている画像に対して、削除を指示する釦である。拡大モード釦２０８は、再生状態において、拡大モードへの遷移指示（拡大モードの開始指示）、及び拡大モードから抜ける指示（拡大モードの終了指示）を行う操作を受付ける釦である。再生指示釦２０９は、撮像装置内外の記録媒体に保存されている画像を液晶表示部２５に表示させる釦である。測距点選択釦２１０は、オートフォーカスの開始ポイントである測距点を選択するモードに入る為の釦である。
【００３１】
マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。シャッター速度アイコン２１２は、ユーザーが設定したシャッター速度又は、測光した結果、カメラによって演算されたシャッター速度を示すアイコンである。絞り値アイコン２１３は、ユーザーが設定した絞り値又は、測光した結果、カメラによって演算されたシャッター速度を示すアイコンである。
【００３２】
ＩＳＯ値アイコン２１４は、ユーザーが設定したＩＳＯ値又は、測光した結果、カメラによって演算されたＩＳＯを示すアイコンである。ＩＳＯマークアイコン２１５は、示されている数値がＩＳＯ値であることを示すアイコンである。露出バーアイコン２１６は、現在の露出設定が被写体輝度に対して、適正露出からどのくらいずれているかを示す為の目盛を表すアイコンである。露出ドットアイコン２１７は、現在の露出設定が被写体輝度に対して、適正露出からどのくらいずれているかを示す為のアイコンである。
【００３３】
［実施例１］
以下、図３、図４、図７（ａ）、図８を参照して、本発明の第1の実施例による、タイムラプス撮影中における表示手法について説明する。まずステップＳ１００では、メインＳｗ２０４がスイッチＯｎ状態であるか否か判定し、スイッチＯｎ状態であれば、ステップＳ１０１に進み、スイッチＯｎ状態でなければ、終了する。ステップＳ１０１では、不揮発性メモリ３８に格納されているタイムラプス撮影を行うか否かの設定値を取得する。タイムラプス撮影間隔は、図８（ａ）に閉めるＧＵＩイメージ図で、ユーザーによって設定される。
【００３４】
ステップＳ１０２では、ステップＳ１０１より取得された設定値を元に、タイムラプス撮影を行う設定になっているか否かを判定し、タイムラプス撮影を行う設定になっていればステップＳ１０３に進み、タイムラプス撮影を行う設定になっていなければ終了する。ステップＳ１０３では、不揮発性メモリ３８に格納されているタイムラプス撮影間隔を取得する。タイムラプス撮影間隔は、図８（ｂ）に閉めるＧＵＩイメージ図で、ユーザーによって設定される。ステップＳ１０４では、不揮発性メモリ３８に格納されているタイムラプス撮影回数を取得する。タイムラプス撮影回数は、図８（ｂ）に示すＧＵＩイメージ図で、ユーザーによって設定される。
【００３５】
ステップＳ１０５では、揮発性メモリ３９に格納されている、現在カメラがタイムラプス状態か否かの情報を取得し、タイムラプス状態であるならステップＳ１０６に進み、タイムラプス状態でなければ、ステップＳ１０７に進む。ステップＳ１０６では、測光開始釦が押下されているか否か、即ちレリーズ釦２１０が半押しされているか否か判定し、押下されていれば、ステップＳ１０８に進み、押下されていなければステップＳ１０９に進む。ステップＳ１０７では、タイムラプス開始釦２０１が押下されているか否か判定し、押下されていればステップＳ１１０に進み、押下されていなければ終了する。
【００３６】
ステップＳ１０８では、測光値が、ファインダー外液晶駆動回路４４を介して、図７（ａ）に示されるように、ファインダー外液晶表示部４３に表示される。ステップＳ１０９では、タイムラプス情報表示処理を行う。処理については、後に詳述する。ステップＳ１１０では、タイムラプス撮影処理を行う。処理については、後に詳述する。まず、図４を用いて、タイムラプス撮影処理について、詳細に説明する。ステップＳ２００では、ステップＳ１０３で取得した、タイムラプス撮影間隔のタイマーが作動中であるか否か判定し、作動中であるならステップＳ２０１に進み、作動中でないならステップＳ２０２に進む。
【００３７】
ステップＳ２０１では、ステップＳ１０３で取得した、タイムラプス撮影間隔でタイマーを作動させる。ステップＳ２０２では、マイクロコンピュータ４０により、揮発性メモリ３９にタイムラプス状態であることが記憶される。ステップＳ２０３では、揮発性メモリ３９に保存されている撮影指示フラグより、撮影指示があるか否か判定し、撮影指示があるならステップＳ２０４に進み、撮影指示がないならステップＳ２０７に進む。ステップＳ２０４では、撮影指示回数をインクリメントし、マイクロコンピュータ４０によって、揮発性メモリ３９に、現在何回撮影指示があったかが格納される。
【００３８】
ステップＳ２０５では、現在撮影可能状態か否か判定し、撮影可能状態であればステップＳ２０６に進み、撮影可能状態でなければステップＳ２０７に進む。ステップＳ２０６では、マイクロコンピュータ４０によって、撮影処理が行われた後、揮発性メモリ３９に保存されている撮影指示フラグがクリアされる。ステップＳ２０７では、ステップＳ２０１で開始したタイマーによるタイマー割り込みがあるか否か判定し、割り込みがあればステップＳ２０８に進み、割り込みがなければステップＳ２０９に進む。ステップＳ２０８では、マイクロコンピュータ４０によって、揮発性メモリ３９に、撮影指示フラグがセットされる。
【００３９】
ステップＳ２０９では、ステップＳ２０４によって、揮発性メモリ３９に保存されている、撮影指示回数が、ステップＳ１０４で取得したタイムラプス撮影回数に到達しているか否か判定し、到達していればステップＳ２１０に進み、到達していなければステップＳ２０３に進む。ステップＳ２１０では、マイクロコンピュータ４０により、揮発性メモリ３９にタイムラプス状態でないことが記憶される。ステップＳ２１１では、タイムラプス撮影間隔で作動させていたタイマーを停止させる。ステップＳ２１２では、タイムラプス動画ファイルが作成される。
【００４０】
次に、図５、図７（ｂ）を用いて、タイムラプス情報表示処理について、詳細に説明する。ステップＳ３００では、ステップＳ１０４で取得したタイムラプス撮影回数から、揮発性メモリ３９に保存されている撮影指示回数の差分をとって、タイムラプスの残り撮影回数を演算する。ステップＳ３０１では、シャッター速度アイコン２１２を用いて、ステップＳ３００によって演算されたタイムラプス残り撮影回数が、マイクロコンピュータ４０により、ファインダー外液晶駆動回路４４を介して、表示される。本実施例では、タイムラプス残り撮影回数が９枚である場合の実施例としている。
【００４１】
ステップＳ３０２では、測光値に関連するパラメータアイコンである、絞り値アイコン２１３、ＩＳＯ値アイコン２１４、ＩＳＯマークアイコン２１５、露出バーアイコン２１６、露出ドットアイコン２１７が、マイクロコンピュータ４０により、ファインダー外液晶駆動回路４４を介して、消灯される。ステップＳ３０１、ステップＳ３０２のように制御されることで、図７（ｂ）に示されるように、ファインダー外液晶表示部４３に表示される。
【００４２】
以上のように制御されることで、測光釦を押下した時は、測光値が確認可能となり、測光釦を離した時は、タイムラプス撮影において、あと何回撮影が行われるかを確認することが可能となる。また測光釦のオンオフで、両方の確認が可能となることと合わせて、ユーザーは分かり易く簡単に、測光値とタイムラプス設定における残り撮影回数を知ることが出来るようになる。
【００４３】
［実施例２］
以下、図６、図７（ｃ）を用いて、本発明の第２の実施例による、タイムラプス情報表示処理について、説明する。ステップＳ４００では、シャッター速度アイコン２１２を用いて、揮発性メモリ３９に保存されている撮影指示回数が、マイクロコンピュータ４０により、ファインダー外液晶駆動回路４４を介して、表示される。本実施例では、タイムラプス撮影指示回数が９１枚である場合の実施例としている。
【００４４】
ステップＳ４０１では、ＩＳＯ値アイコン２１４を用いて、ステップＳ１０４で取得したタイムラプス撮影回数が、マイクロコンピュータ４０により、ファインダー外液晶駆動回路４４を介して、表示される。本実施例では、タイムラプス撮影回数が１００枚である場合の実施例としている。
【００４５】
ステップＳ４０２では、測光値に関連するパラメータアイコンである、絞り値アイコン２１３、ＩＳＯマークアイコン２１５、露出バーアイコン２１６、露出ドットアイコン２１７が、マイクロコンピュータ４０により、ファインダー外液晶駆動回路４４を介して、消灯される。ステップＳ４０１、ステップＳ４０２のように制御されることで、図７（ｃ）に示されるように、ファインダー外液晶表示部４３に表示される。
【００４６】
以上のように制御されることで、測光釦を押下した時は、測光値が確認可能となり、測光釦を離した時は、タイムラプス撮影において、今何回撮影指示があって、自分は何回の撮影を行うように設定したのかの、両方を確認することが可能となる。実施例１と比較すると、タイムラプス撮影に関する情報をより多く、ユーザーは知ることが出来るようになる。
【００４７】
以上、本発明の好ましい実施形態について説明したが、本発明はこれらの実施形態に限定されず、その要旨の範囲内で種々の変形及び変更が可能である。
【符号の説明】
【００４８】
１  絞り、２  絞り駆動回路、３  ＡＦ駆動回路、４  レンズシステム制御回路、
５  レンズ、６  レンズ側通信部、１０  カメラ側通信部、１１  ＡＦセンサ、
１２  ミラー、１３  フォーカシングスクリーン、１４  ペンタプリズム、
１５  ＡＥセンサー、１６  アイピースユニット、
１７  フォーカルプレーンシャッター、１８  光学フィルター、１９  圧電素子、
２０  撮像素子、２１  ＡＭＰ回路、２２  Ａ／Ｄ変換回路、２３  画像処理回路、
２４  液晶駆動回路、２５  液晶表示部、２６  バッファメモリー、
２７  メモリーコントローラ、２８  外部メモリー、２９  インタフェース、
３０  ＡＣ電源部、３１  ２次電池部、３２  タイミング制御回路、
３３  電源種類検知回路、３４  電源状態検知回路、３５  電源制御回路、
３６  シャッター制御回路、３７  光学フィルター振動制御回路、
３８  不揮発性メモリー、３９  揮発性メモリ、４０  マイクロコンピュータ、
４１  ファインダー内液晶表示部、４２  ファインダー内液晶駆動回路、４３  ファインダー外液晶表示部、４４  ファインダー外液晶駆動回路、７０  操作部
【図１】
2016092796.tif 000003
【図２（ａ）】
2016092796.tif 000004
【図２（ｂ）】
2016092796.tif 000005
【図２（ｃ）】
2016092796.tif 000006
【図３】
2016092796.tif 000007
【図４】
2016092796.tif 000008
【図５】
2016092796.tif 000009
【図６】
2016092796.tif 000010
【図７】
2016092796.tif 000011
【図８】
2016092796.tif 000012